(57)【要約】【課題】記録媒体に記録された多数のコンテンツをユーザが利用しやすい用に管理する。【解決手段】記録再生装置１０は、記録媒体に記録されたコンテンツを再生する。データ読出部２２は、コンテンツ記憶部１８からコンテンツを読み出して表示処理部３０に表示させて再生する。再生処理部２６は、一の番組を構成するコンテンツを複数のデータブロックに分割したデータブロック毎に、再生されたか否かを検出し、データブロック毎に再生されたか否かを示す再生情報を対応付けて再生情報記憶部２１に格納する。【選択図】        図１
2004304482.tif 000002
【特許請求の範囲】
【請求項１】
記録媒体に記録されたコンテンツを管理するコンテンツ管理装置であって、
一の番組を構成するコンテンツを複数のデータブロックに分割したデータブロックと、前記データブロックそれぞれが再生されたか否かを示す再生情報とを対応付けて記憶する再生情報記憶部を含むことを特徴とするコンテンツ管理装置。
【請求項２】
請求項１に記載のコンテンツ管理装置において、
前記再生情報に基づき、前記番組が視聴された割合を算出する視聴割合算出部をさらに含むことを特徴とするコンテンツ管理装置。
【請求項３】
請求項２に記載のコンテンツ管理装置において、
前記視聴割合算出部が算出した割合をその番組を識別する識別情報とともに表示する表示処理部をさらに含むことを特徴とするコンテンツ管理装置。
【請求項４】
請求項２または３に記載のコンテンツ管理装置において、
前記視聴割合算出部が算出した割合に応じて、前記記録媒体から消去するコンテンツを選択する消去処理部をさらに含むことを特徴とするコンテンツ管理装置。
【請求項５】
請求項１乃至４いずれかに記載のコンテンツ管理装置において、
前記再生情報は、前記データブロックが再生されたモードを示す情報を含むことを特徴とするコンテンツ管理装置。
【請求項６】
請求項５に記載のコンテンツ管理装置において、
前記データブロックそれぞれが、前記再生情報記憶部に記憶されたモードと同様のモードで再生されるように再生方法を設定する再生処理部をさらに含むことを特徴とするコンテンツ管理装置。
【請求項７】
請求項１乃至６いずれかに記載のコンテンツ管理装置において、
前記再生情報記憶部は、前記記録媒体における前記データブロックが記録された位置を示す位置情報と前記再生情報とをそれぞれ対応付けて記憶することを特徴とするコンテンツ管理装置。
【請求項８】
記録媒体に記録されたコンテンツを再生するコンテンツ再生装置であって、
前記記録媒体からコンテンツを読み出して再生するデータ読出部と、
コンテンツが再生されたか否かを示す再生情報を記憶する再生情報記憶部と、
一の番組を構成するコンテンツを複数のデータブロックに分割したデータブロック毎に、前記データ読出部により再生されたか否かを検出し、前記データブロック毎に前記再生情報を対応付けて前記再生情報記憶部に格納する再生処理部と、
を含むことを特徴とするコンテンツ再生装置。
【請求項９】
請求項８に記載のコンテンツ再生装置において、
前記再生処理部は、前記データブロック毎に再生されたモードを検出し、前記モードを前記再生情報として前記再生情報記憶部に格納することを特徴とするコンテンツ管理装置。
【請求項１０】
請求項９に記載のコンテンツ再生装置において、
前記再生処理部は、前記データブロックそれぞれが、前記再生情報記憶部に記憶されたモードと同様のモードで再生されるように前記データ読出部を制御することを特徴とするコンテンツ再生装置。
【発明の詳細な説明】
【０００１】
【発明の属する技術分野】
本発明は、情報を管理する技術に関する。本発明はとくに、記録媒体に記録されたコンテンツを管理する装置および再生する装置に関する。
【０００２】
【従来の技術】
映像や音声等を対象とする圧縮技術の進歩、コンピュータ等のハードウエアの低価格化、ネットワークを利用した様々なサービスの一般への普及等を背景に家庭内の電化製品のデジタル化も進んでいる。こうした中、ＤＶＤ（Ｄｉｇｉｔａｌ  Ｖｅｒｓａｔｉｌｅ  Ｄｉｓｋ）等の光ディスクや、ハードディスクを記録媒体とする録画再生装置が実用化されている。
【０００３】
このような録画再生装置では、記録媒体の高容量化が進んでおり、多数の番組を記録しておくことが可能となっている。これにより、利用者の録画再生装置の利用方法も従来とは異なるようになってきた。従来、利用者は、番組録画時に見たい番組を選択して予約録画等を行っていたが、記録媒体の高容量化に伴い、録画時にはとりあえず多くの番組を記録媒体に録画しておき、再生時に見たい番組を選択するようになってきた。
【０００４】
【特許文献１】
特開２００２−３３０４２０号公報
【０００５】
【発明が解決しようとする課題】
そのため、記録媒体に録画された多数の番組の中から利用者が見たい番組を簡単に選択することができるような録画番組の管理が重要である。利用者は、見たい番組を選択する際、その番組を既に再生して見たかまだ見ていないかを考慮して番組を選択することがある。たとえば連続ドラマを見るような場合、何話までを見たかを覚えておらず、ある回の番組を再生させて既に見たことを思いだし、次の回の番組を再度選択しなおさなければならないことがある。記録媒体に録画することができる番組の数が増えるほど、このような問題は頻繁に生じる可能性がある。
【０００６】
また、たとえば有料番組の視聴についても、近年、利用者が番組を受信したか否かではなく、実際にその番組を視聴したか否かに基づき課金を行うようにするシステムが開発されている。このような場合に、利用者が番組を視聴したか否かを適正に判断する必要がある。
【０００７】
本発明者はそうした点に着目して本発明をなしたものであり、その目的は、記録媒体に記録された多数のコンテンツをユーザが利用しやすいように管理する技術を提供することにある。
【０００８】
【課題を解決するための手段】
本発明によれば、記録媒体に記録されたコンテンツを管理するコンテンツ管理装置であって、一の番組を構成するコンテンツを複数のデータブロックに分割したデータブロックと、データブロックそれぞれが再生されたか否かを示す再生情報とを対応付けて記憶する再生情報記憶部を含むことを特徴とするコンテンツ管理装置が提供される。
【０００９】
ここで、「記録媒体」は、ハードディスク、半導体メモリ、光ディスク、磁気ディスク等のデジタルデータを書込み、および読込み可能な媒体である。このようにすれば、一の番組を構成するコンテンツが再生されたか否かを部分毎に把握することができ、コンテンツの視聴状況を適切に容易にすることができる。また、再生情報は、データブロックが再生されたか否かだけでなく、どのようなモードで再生されたかを示す情報を含む。ここで、モードとは、等速の再生、早送り、スキップ、巻き戻し等である。
【００１０】
本発明のコンテンツ管理装置は、再生情報に基づき、番組が視聴された割合を算出する視聴割合算出部をさらに含むことができる。これにより、視聴割合に応じて記録媒体から消去するコンテンツを選択したり、有料コンテンツの課金を行うか否かを判断することができる。
【００１１】
本発明のコンテンツ管理装置は、視聴割合算出部が算出した割合をその番組を識別する識別情報とともに表示する表示処理部をさらに含むことができる。
【００１２】
これにより、ユーザが視聴割合に応じて再生、消去等するコンテンツを選択することができる。
【００１３】
本発明のコンテンツ管理装置は、視聴割合算出部が算出した割合に応じて、記録媒体から消去するコンテンツを選択する消去処理部をさらに含むことができる。
【００１４】
本発明のコンテンツ管理装置は、データブロックそれぞれが、再生情報記憶部に記憶されたモードと同様のモードで再生されるように再生方法を設定する再生処理部をさらに含むことができる。
【００１５】
これにより、たとえばユーザが同じコンテンツを再生するときや、他のユーザが再生するときに、以前に早送りされたデータブロックやスキップされたブロックについて、同様に早送りやスキップをすることができ、ユーザの利便性を高めることができる。
【００１６】
本発明のコンテンツ管理装置において、再生情報記憶部は、記録媒体におけるデータブロックが記録された位置を示す位置情報と再生情報とをそれぞれ対応付けて記憶することができる。
【００１７】
再生情報記憶部は、たとえばＭＳ−ＤＯＳ等で用いられるＦＡＴ（Ｆｉｌｅ  Ａｌｌｏｃａｔｉｏｎ  Ｔａｂｌｅ）やＵＮＩＸ（登録商標）等で用いられるｉノードを拡張して構成することができる。
【００１８】
本発明によれば、記録媒体に記録されたコンテンツを再生するコンテンツ再生装置であって、記録媒体からコンテンツを読み出して再生するデータ読出部と、コンテンツが再生されたか否かを示す再生情報を記憶する再生情報記憶部と、一の番組を構成するコンテンツを複数のデータブロックに分割したデータブロック毎に、データ読出部により再生されたか否かを検出し、データブロック毎に再生情報を対応付けて再生情報記憶部に格納する再生処理部と、を含むことを特徴とするコンテンツ再生装置が提供される。
【００１９】
本発明のコンテンツ再生装置において、再生処理部は、データブロック毎に再生されたモードを検出し、モードを再生情報として再生情報記憶部に格納することができる。
【００２０】
本発明のコンテンツ再生装置において、再生処理部は、データブロックそれぞれが、再生情報記憶部に記憶されたモードと同様のモードで再生されるようにデータ読出部を制御することができる。
【００２１】
なお、以上の構成要素の任意の組合せ、本発明の表現を装置、方法、システム、コンピュータプログラムの間で変換したものもまた、本発明の態様として有効である。
【００２２】
【発明の実施の形態】
図１は、本実施の形態におけるコンテンツ管理装置が記録再生装置１０に組み込まれた構成を示すブロック図である。記録再生装置１０は、アンテナを介して有料または無料の各種放送を受信し、それを記録媒体に記録する。記録媒体は複数のコンテンツを記録可能である。記録再生装置１０は、記録媒体に記録された複数のコンテンツの中からユーザが選択したコンテンツを読み出し、再生する。ここで、「コンテンツ」は、画像データ、音楽データ、文字データ等を含み、一の番組を構成するデータのまとまりを示す。
【００２３】
記録再生装置１０は、コンテンツ入力部１２、書込処理部１４、データ記憶部１６、データ読出部２２、消去処理部２４、再生処理部２６、視聴割合算出部２７、視聴履歴送信処理部２８、表示処理部３０、制御部３２、および操作部３４を含む。データ記憶部１６は、たとえば、ハードディスク、半導体メモリ、光ディスク等の記録媒体である。データ記憶部１６は、コンテンツ記憶部１８、管理情報記憶部２０、および再生情報記憶部２１を含む。データ記憶部１６の内容は、複数の記録媒体に分離して記憶することもできる。
【００２４】
記録再生装置１０の各構成要素は、ハードウエアコンポーネントでいえば、任意のコンピュータのＣＰＵ、メモリ、メモリにロードされた本図の構成要素を実現するプログラム、そのプログラムを格納するハードディスク等の記憶ユニット、ネットワーク接続用インターフェースを中心に実現されるが、その実現方法、装置にはいろいろな変形例があることは、当業者には理解されるところである。これから説明する各図は、ハードウエア単位の構成ではなく、機能単位のブロックを示している。
【００２５】
コンテンツ入力部１２は、コンテンツを入力する。コンテンツ入力部１２は、たとえば、無線または有線で放送信号を受信するチューナである。ここで、その放送は、アナログ放送であってもよいしデジタル放送であってもよい。
【００２６】
書込処理部１４は、放送信号に含まれるコンテンツをデータ記憶部１６のコンテンツ記憶部１８に格納する。たとえば、書込処理部１４は、アナログ信号として受信したコンテンツをＭＰＥＧ−２ＴＳ等の符号化方式で圧縮してコンテンツ記憶部１８に格納してもよいし、デジタル信号に含まれるコンテンツを抽出して、それをコンテンツ記憶部１８に格納してもよい。
【００２７】
また、書込処理部１４は、コンテンツ記憶部１８に格納したコンテンツに関する管理情報をコンテンツ毎に管理情報記憶部２０に格納する。書込処理部１４は、放送信号に管理情報が含まれる場合、その管理情報を管理情報記憶部２０に格納する。管理情報とは、そのコンテンツのタイトル、放送時間、課金情報等である。また、書込処理部１４は、そのコンテンツを格納した時刻や録画時間に関する情報を管理情報として管理情報記憶部２０に格納することもできる。
【００２８】
再生情報記憶部２１は、コンテンツの再生情報を部分毎に記憶する。ここで、再生情報は、再生されたか否か、また再生された場合、等速の再生か早送り再生か、スキップされたか、巻き戻しされたか等の再生されたモードを示す情報である。本実施の形態において、書込処理部１４は、受信したコンテンツを複数のデータブロックに分けてコンテンツ記憶部１８に格納する。再生情報記憶部２１は、データブロック毎に、そのデータブロックの再生情報を記憶することができる。また、再生情報記憶部２１は、このようなデータブロックとは別の単位、たとえば再生される時間単位毎に再生情報を記憶してもよい。書込処理部１４は、コンテンツ記憶部１８にコンテンツを格納するのと同時に、未再生を示す情報をデータブロック毎に対応付けて再生情報記憶部２１に格納する。再生情報記憶部２１のデータ構造については後述する。
【００２９】
データ読出部２２は、コンテンツ記憶部１８から該当するコンテンツを読み出し、たとえば、符号化されたコンテンツを復号して表示処理部３０に出力する。また、データ読出部２２は、管理情報記憶部２０や再生情報記憶部２１から各種データを読み出し、ＯＳＤ（Ｏｎ  Ｓｃｒｅｅｎ  Ｄｉｓｐｌａｙ）表示を行う。
【００３０】
表示処理部３０は、記録再生装置１０に接続されたモニタに映像を表示するための制御信号を生成して、そのモニタに出力する。
【００３１】
再生処理部２６は、ユーザからの指示に基づき、データ読出部２２がコンテンツ記憶部１８からコンテンツを読み出して再生が行われているときに、コンテンツの再生情報を、そのコンテンツのデータブロック毎に再生情報記憶部２１に書き込む。上述したように、コンテンツ格納時に、再生情報記憶部２１にもデータブロック毎に未再生を示す情報が格納されている場合、再生処理部２６は、コンテンツが再生されると、再生されたデータブロックの未再生を示す情報を再生されたモードを示す情報に書き換える。
【００３２】
また、再生処理部２６は、再生情報記憶部２１を参照して、各データブロックが再生情報記憶部２１に記憶されたのと同様のモードで再生されるように、再生方法を設定する。再生処理部２６は、ユーザからいずれかのコンテンツの再生の指示があった場合に、再生情報記憶部２１を参照してそのコンテンツが過去に既に再生されているか否かを検出する。そのコンテンツが過去に再生されている場合、再生処理部２６は、ユーザに通常の再生を行うか、再生情報記憶部２１の再生情報に基づき自動再生を行うかを選択させる。再生処理部２６は、ユーザが自動再生を選択した場合、上記再生方法を設定し、過去に再生されたのと同様のモードで再生されるよう処理を行う。手動再生とは、ユーザ自身が操作部３４を操作して等速の再生、早送り、スキップ、巻き戻し等の指示を与える再生のことである。
【００３３】
視聴割合算出部２７は、再生情報記憶部２１を参照して、コンテンツを構成する複数のデータブロックのうち再生されたデータブロックの割合から、コンテンツ毎の視聴割合を算出する。視聴割合算出部２７は、たとえば、等速の再生、早送りについては再生されたとし、未再生およびスキップについては再生されていないとして視聴割合を算出する。
【００３４】
消去処理部２４は、ユーザからのコンテンツの消去指示に基づき、コンテンツ記憶部１８に格納されたコンテンツを消去する。また、消去処理部２４は、コンテンツ記憶部１８の容量が所定量以上になって、いずれかのコンテンツを消去しなければならない場合に、各コンテンツの視聴割合を考慮して消去するコンテンツを選択することができる。消去処理部２４は、たとえば視聴割合の高いコンテンツから優先的に消去する。また、消去処理部２４は、たとえば各コンテンツが録画されてから一定時間以上たっても視聴割合が所定割合以上になっていないコンテンツから優先的に消去することもできる。
【００３５】
視聴履歴送信処理部２８は、管理情報記憶部２０および再生情報記憶部２１を参照して、課金対象のコンテンツの視聴履歴に関する情報をそのコンテンツを提供しているカスタマーセンター等に送信する。視聴履歴送信処理部２８は、コンテンツの視聴割合に基づき、課金対象のコンテンツが課金されるか否かを判断し、課金される場合のみ視聴履歴に関する情報を送信してもよい。視聴履歴送信処理部２８からの視聴履歴に関する情報の送信は、電話回線を用いて行うことができる。本実施の形態において、視聴履歴送信処理部２８は、コンテンツの視聴割合に応じて課金されるか否かを判断することができるので、ユーザが誤って課金対象のコンテンツの再生を選択した場合等に課金されることなく、ユーザの利便を図ることができる。
【００３６】
操作部３４は、たとえば、カーソルキー、ボタン、ジョグダイヤル等のユーザからの指示を受け付けるユーザインターフェイスである。ユーザは操作部３４を使って、記録再生装置１０を操作する。
【００３７】
制御部３２は、操作部３４を介して受け付けたユーザの指示に基づいて、書込処理部１４、データ読出部２２、再生処理部２６、消去処理部２４、視聴履歴送信処理部２８等に動作指示を出力する。
【００３８】
図２は、管理情報記憶部２０のデータ構造の一例を示す図である。
ＩＤ欄は、コンテンツ記憶部１８に格納されたコンテンツを識別する情報を保持する。タイトル欄は各コンテンツのタイトルを保持する。録画開始時刻欄は、各コンテンツの録画を開始した時刻を保持する。録画時間欄は各コンテンツの録画時間を保持する。記憶位置欄は、コンテンツ記憶部１８における各コンテンツが記憶された位置を示す情報を保持する。課金情報欄は、コンテンツを視聴することにより課金されるか否か、またどのような条件で課金されるかに関する情報を保持する。視聴割合欄は、視聴割合算出部２７により算出された各コンテンツの視聴割合を保持する。
【００３９】
ここで、たとえば、ＩＤ「１」のコンテンツのタイトルは「ドラマＡ」で、録画開始時刻は「２００３年３月７日の２０時」、録画時間は「１時間」、このコンテンツのコンテンツ記憶部１８における記憶位置は「ｄａｔａ０００１」、録画時間１ｈのうち、５０％以上視聴した場合に２００円課金され、視聴割合が８０％である旨が記憶されている。
【００４０】
図３は、再生情報記憶部２１のデータ構造の一例を示す図である。
ＩＤ欄は管理情報記憶部２０のＩＤ欄に対応し、コンテンツ記憶部１８に格納されたコンテンツを識別する情報を保持する。ブロック番号欄は、各コンテンツが複数のデータブロックに分割されたときの各データブロックを示す情報を保持する。状況フラグ欄は、コンテンツの再生状況をブロック毎に保持する。本図では「０」は、未再生であることを示し、「１」は、等速で再生されたことを示し、「２」はスキップされたことを示し、「３」は早送りで再生されたことを示す。
【００４１】
再生情報記憶部２１は、複数の状況フラグ欄を有することができる。これにより、再生処理部２６は、あるコンテンツについての再生状況を統計的に把握することができる。再生処理部２６は、たとえば、同じデータブロックがいつも早送りされている場合、ユーザがそのデータブロックのコンテンツには興味がないと判断してユーザが次に同じコンテンツを再生させるときにそのデータブロックを自動的に早送りすることができる。
【００４２】
図４は、再生処理部２６および視聴割合算出部２７の処理手順を示すフローチャートである。
再生処理部２６は、ユーザからの再生指示があるまで待機する（Ｓ１０）。制御部３２を介してユーザからの再生の指示があると（Ｓ１０のＹｅｓ）、再生処理部２６は、再生情報記憶部２１を参照してユーザが選択したコンテンツが過去に再生されているか否かを判断する（Ｓ１２）。過去に再生されている場合（Ｓ１２のＹｅｓ）、再生処理部２６は、再生情報に基づき自動再生するか、通常通り手動再生するかをユーザに選択させる（Ｓ１４）。ユーザが通常通りの手動再生を選択した場合（Ｓ１４のＮｏ）、制御部３２は、操作部３４を介して入力されるユーザからの指示に基づきデータ読出部２２に動作指示を出力する。これによりユーザの指示による再生が行われる（Ｓ１６）。このとき、再生処理部２６は、ユーザの指示による再生状況を再生情報記憶部２１に書き込む（Ｓ２２）。この間、制御部３２は、ユーザから再生の終了指示があるか否かを監視し（Ｓ２３）、ユーザからの再生の終了指示があるまで再生を行う。
【００４３】
ステップ１４において、ユーザが自動再生を選択した場合（Ｓ１４のＹｅｓ）、再生処理部２６は、再生情報記憶部２１を参照して、データブロック毎に対応付けられたフラグに基づき自動再生処理を行う（Ｓ１８）。また、再生処理部２６は、自動再生処理中にユーザからの修正の指示を受け付けることができる（Ｓ２０）。ユーザは、前回早送りした箇所であっても、等速再生を行いたいこともある。このような場合にユーザから修正指示があると（Ｓ２０のＹｅｓ）、再生処理部２６は、新たな指示を再生情報記憶部２１に書き込む（Ｓ２２）。再生情報記憶部２１が複数の状況フラグ欄を有する場合、再生処理部２６は、新たな状況フラグ欄に再生状況を記録していく。また、再生処理部２６は、再生情報記憶部２１の状況フラグ欄を更新していくこともできる。
【００４４】
ステップ２３において、ユーザからの再生の終了指示があると（Ｓ２３のＹｅｓ）、制御部３２はデータ読出部２２および視聴割合算出部２７に動作指示を出力する。これにより、データ読出部２２は、コンテンツ記憶部１８からのコンテンツの読み出しを終了する。視聴割合算出部２７は、再生情報記憶部２１の状況フラグ欄を参照して、全データブロックに対する再生されたデータブロックの割合から視聴割合を算出する（Ｓ２４）。視聴割合算出部２７は、視聴割合を管理情報記憶部２０の視聴割合欄に書き込む（Ｓ２６）。
【００４５】
これにより、消去処理部２４が視聴割合を参照して消去するコンテンツを選択したり、視聴履歴送信処理部２８が各コンテンツの視聴履歴をカスタマーセンター等に送信することができる。
【００４６】
また、再生処理部２６は、ステップ１４においてユーザが手動再生を選択した場合であっても、再生情報記憶部２１を参照してコンテンツとともに、以前再生したときの再生状況をモニタに表示する処理を行うことができる。これにより、ユーザは早送りするタイミングやスキップするタイミングを把握することができる。
【００４７】
図５は、ユーザに再生または消去するコンテンツを選択させる画面である。ここでは、各コンテンツのＩＤ、タイトル、録画開始時刻、録画時間、課金情報、および視聴割合が表示される。これにより、ユーザはコンテンツを再生する際や消去する際に、各コンテンツの視聴割合を見ながらこれを参考にしてコンテンツを選択することができる。
【００４８】
次に、データ記憶部１６の内部構成の具体例を説明する。
図６は、ＭＳ−ＤＯＳ等で用いられるＦＡＴ（Ｆｉｌｅ  Ａｌｌｏｃａｔｉｏｎ  Ｔａｂｌｅ）を拡張して再生情報記憶部２１を構成する例を示す。データ記憶部１６には、管理情報記憶部２０およびデータ記憶領域４２が含まれる。コンテンツ記憶部１８は、データ記憶領域４２に含まれる。ここで、データ記憶領域４２は、複数のクラスタに分割されており、一の番組を構成するコンテンツは複数のクラスタに記憶される。データ記憶領域４２の一部には、コンテンツが記憶されたクラスタに関する情報を記憶するＦＡＴ領域４４が含まれる。本実施の形態において、再生情報記憶部２１は、ＦＡＴ領域４４の一部により構成される。
【００４９】
図７は、図６に示した管理情報記憶部２０のデータ構造の一例を示す図である。
ＩＤ欄、タイトル欄、録画開始時刻欄、録画時間欄、課金情報欄、視聴割合欄は図２に示した各欄と同様である。ここで、図２に示した記憶位置欄に替えて、関連欄が設けられる。関連欄は、各コンテンツが記憶されたデータ記憶領域４２との関連に関する情報を保持する。ここでは、各コンテンツが記憶された初期クラスタの番号が記憶されている。
【００５０】
図８は、ＦＡＴ領域４４のデータ構造の一例を示す図である。クラスタ番号欄は、データ記憶領域４２のクラスタ番号を保持する。クラスタ連結情報欄は、各クラスタと連結した次のクラスタ番号に関する情報を保持する。状態フラグ欄は、各クラスタに格納されたデータの再生状況を示す情報を保持する。各フラグの意味は、図３と同様である。
【００５１】
図７および図８を参照して説明すると、ＩＤが「１」の「ドラマＡ」のデータは、データ記憶領域４２のクラスタ番号「２」の領域から記憶され、クラスタ番号「２」の領域の次にはクラスタ番号「５」、クラスタ番号「６」、クラスタ番号「１１」、クラスタ番号「１８」の領域・・・に順次記憶されている。ここで、クラスタ番号「２」の領域に記憶されたデータは等速で再生され、クラスタ番号「５」の領域に記憶されたデータはスキップされ、クラスタ番号「６」の領域に記憶されたデータは早送りされ、クラスタ番号「１１」の領域に記憶されたデータは等速で再生されている。
【００５２】
つづいて、データ記憶部１６の内部構成の他の具体例を説明する。
図９は、ＵＮＩＸ等で用いられるｉノードを拡張して再生情報記憶部２１を構成する例を示す。ここでも、データ記憶部１６には、管理情報記憶部２０およびデータ記憶領域４２が含まれる。コンテンツ記憶部１８は、データ記憶領域４２に含まれる。ここで、データ記憶領域４２は、複数のブロックに分割されており、一の番組を構成するコンテンツは複数のブロックに記憶される。データ記憶領域４２の一部には、コンテンツが記憶されたブロックに関する情報を記憶するノード領域４６および間接ブロック４８が含まれる。本実施の形態において、再生情報記憶部２１は、ノード領域４６および間接ブロック４８の一部により構成される。
【００５３】
図１０は、図９に示した管理情報記憶部２０のデータ構造の一例を示す図である。
ＩＤ欄、タイトル欄、録画開始時刻欄、録画時間欄、課金情報欄、視聴割合欄は図２に示した各欄と同様である。ここで、関連欄には、各コンテンツが記憶されたノード番号が記憶されている。
【００５４】
図１１は、ノード領域４６のデータ構造の一例を示す図である。
ノード番号欄は、各コンテンツに対応付けられたノード番号を保持する。直接参照欄は、データが記憶されたブロックを直接示す情報を保持する。ここでは、ノード領域４６は、ノード毎に２つの直接参照欄「直接参照１」欄および「直接参照２」欄を含む。間接参照欄は、間接ブロックを示す情報を保持する。ノード領域４６は、ファイルサイズなどに関する情報をも保持する。
【００５５】
「直接参照１」欄および「直接参照２」欄に保持された情報から、ノード番号「１」のコンテンツのデータはブロック番号「１」および「２」の領域に記憶されていることがわかる。各ブロック番号にはそのブロックに記憶されたデータの再生状況を示す状態フラグが対応付けられている。また、間接参照欄に保持された情報から、このコンテンツの残りのデータを示す情報がブロック番号「３」の領域に記憶されていることがわかる。
【００５６】
図１２は、図１１に示した間接参照欄のブロック番号３の領域のデータ構造の一例を示す図である。ここで、ノード番号「１」のコンテンツの残りのデータはブロック番号「４」、「５」および「１９」に記憶されている。ここでも各ブロック番号にはそのブロックに記憶されたデータの再生状況を示す状態フラグが対応付けられている。
【００５７】
図１０〜図１２を参照して説明すると、ＩＤが「１」の「ドラマＡ」は、データ記憶領域４２のブロック番号「１」の領域から記憶され、その次にブロック番号「２」、ブロック番号「４」、ブロック番号「５」、ブロック番号「１９」・・・に順次記憶されている。ここで、これらのブロック番号「１」、「２」、「４」、「５」、「１９」の領域に記憶されたデータは等速で再生されている。
【００５８】
以上のように、データ記憶領域４２のＦＡＴ領域４４やノード領域４６を拡張して再生情報記憶部２１を設けることにより、現有のシステムを利用しつつ、簡易な方法で各コンテンツの視聴割合や再生状況を把握することができる。
【００５９】
以上の実施の形態では、コンテンツ管理装置が記録再生装置１０に組み込まれた形態を説明したが、コンテンツ管理装置は、記録媒体を利用するたとえば、ＰＤＡ（Ｐｅｒｓｏｎａｌ  Ｄｉｇｉｔａｌ  Ａｓｓｉｓｔａｎｔ）、デスクトップコンピュータ、その他の電化製品等に組み込むこともできる。
【００６０】
【発明の効果】
本発明によれば、記録媒体に記録された多数のコンテンツをユーザが利用しやすいように管理することができる。
【図面の簡単な説明】
【図１】本発明の実施の形態における記録再生装置を示すブロック図である。
【図２】管理情報記憶部のデータ構造の一例を示す図である。
【図３】再生情報記憶部のデータ構造の一例を示す図である。
【図４】再生処理部および視聴割合算出部の処理手順を示すフローチャートである。
【図５】ユーザに再生または消去するコンテンツを選択させる画面を示す図である。
【図６】再生情報記憶部の具体例を示す図である。
【図７】図６に示した管理情報記憶部のデータ構造の一例を示す図である。
【図８】図６に示したＦＡＴ領域のデータ構造の一例を示す図である。
【図９】再生情報記憶部の他の具体例を示す図である。
【図１０】図９に示した管理情報記憶部のデータ構造の一例を示す図である。
【図１１】図９に示したノード領域のデータ構造の一例を示す図である。
【図１２】図１１に示した間接参照欄のブロック番号３の領域のデータ構造の一例を示す図である。
【符号の説明】
１０  記録再生装置、  １２  コンテンツ入力部、  １４  書込処理部、  １６データ記憶部、  １８  コンテンツ記憶部、  ２０  管理情報記憶部、  ２１再生情報記憶部、  ２２  データ読出部、  ２４  消去処理部、  ２６  再生処理部、  ２７  視聴割合算出部、  ２８  視聴履歴送信処理部、  ３０  表示処理部、  ３２  制御部、  ３４  操作部、  ４２  データ記憶領域、  ４４  ＦＡＴ領域、  ４６  ノード領域、  ４８  間接ブロック。
【図１】
2004304482.tif 000003
【図２】
2004304482.tif 000004
【図３】
2004304482.tif 000005
【図４】
2004304482.tif 000006
【図５】
2004304482.tif 000007
【図６】
2004304482.tif 000008
【図７】
2004304482.tif 000009
【図８】
2004304482.tif 000010
【図９】
2004304482.tif 000011
【図１０】
2004304482.tif 000012
【図１１】
2004304482.tif 000013
【図１２】
2004304482.tif 000014